(57)【要約】【課題】パトライト（登録商標）や警報音まで利用すれば、有る程度まで効果的に威嚇することができるが、電源を必要とするので、設置場所が限られる。また、設置スペースを必要とするので、ＡＥＤが緊急用の医療器具だからと言って、どの場所でも設置が無条件に歓迎されるわけではない。【解決手段】ポール３にＡＥＤ収納ボックス５に取り付け、防犯カメラ、パトライト（登録商標）、警報を備えさせると共に、緊急放送を受信し、拡声器３３から放送させる。また、太陽光発電パネル３１から電力供給を受ける独立電源方式とした。これにより、屋外の任意の場所に防犯機能を生かしながら設置でき、緊急放送の中継地点としての併用利用も実現できた。【選択図】        図１
2014130402.tif 000002
【特許請求の範囲】
【請求項１】
ＡＥＤ収納ボックスと、前記ＡＥＤ収納ボックス側に備えさせた電動式の防犯機能部と、前記ＡＥＤ収納ボックス側に備えさせた緊急放送受信手段と、前記緊急放送受信手段で受信した緊急放送を放送する放送手段と、太陽光発電パネルと、前記太陽光発電パネルで発電された電力を蓄電し、前記防犯機能部と前記緊急放送受信手段と前記放送手段とに給電するバッテリーとを有し、
前記ＡＥＤ収納ボックスを、屋外の任意の場所に防犯機能を生かしながら設置でき、緊急放送の中継地点としても利用できることを特徴とするＡＥＤ屋外設置システム。
【請求項２】
請求項１に記載したＡＥＤ屋外設置システムにおいて、
ＡＥＤ収納ボックス内には、バッテリー状態を確認できるバッテリー確認用ランプが設けられ、前記ＡＥＤ収納ボックスの扉開により前記ランプを視認できるようになっており、
防犯機能部は、人感センサー付きカメラを有し、カメラ機能の作動を前記ＡＥＤ収納ボックスの扉開の検出に基づいて行うことを特徴とするＡＥＤ屋外設置システム。
【請求項３】
請求項１または２に記載したＡＥＤ屋外設置システムにおいて、
ＡＥＤ収納ボックスに、緊急放送受信手段の作動状態を確認できる受信用確認ランプを設けたことを特徴とするＡＥＤ屋外設置システム。
【請求項４】
請求項１から３のいずれかに記載したＡＥＤ屋外設置システムにおいて、
地上に設置するポールに、ＡＥＤ収納ボックスと、放送手段としての拡声器と、太陽光発電パネルとを取り付けてオールインワンとしたことを特徴とするＡＥＤ屋外設置システム。
【請求項５】
請求項４に記載したＡＥＤ屋外設置システムにおいて、
ポール及びＡＥＤ収納ボックスをステンレス製で構成し、耐久性を備えたことを特徴とするＡＥＤ屋外設置システム。
【発明の詳細な説明】
【技術分野】
【０００１】
本発明は、ＡＥＤ（自動体外式除細動器）を収納した収納ボックスを屋外に設置するシステムに関するものである。
【背景技術】
【０００２】
致死性不整脈の一つである心室細動が発生した場合には、一刻も早く、ＡＥＤを用いて心臓に電気ショックを行えるかで生存率が変わる。そのため、近年では、空港・駅・スポーツクラブ・学校・公共施設・企業等、人の集まる場所にＡＥＤが設置され、且つ医療従事者に限定されず、誰もがＡＥＤを使用することができるようになっている。
而して、ＡＥＤは保護のため通常収納ボックスに収納されて設置されているが、上記したようにＡＥＤは緊急用の医療器具であり、緊急時には即座に取り出せることが求められるため、その収納ボックスには施錠することはできない。  
そのため、悪質な悪戯や盗難を避けるために、特許文献１や特許文献２に記載のように、収納ボックスに防犯機能を持たせることが提案されている。
【先行技術文献】
【特許文献】
【０００３】
【特許文献１】特開２００８−１８４８４１号公報
【特許文献２】特開２０１２−０８５０４９号公報
【発明の概要】
【発明が解決しようとする課題】
【０００４】
特許文献２のように、パトライト（登録商標）やサイレンまで利用すれば、有る程度まで効果的に威嚇することができるが、電源を必要とするので、設置場所が限られる。
また、設置スペースを必要とするので、ＡＥＤが緊急用の医療器具だからと言って、どの場所でも設置が無条件に歓迎されるわけではない。
【０００５】
それ故、本発明は、上記課題を解決するために、独立電源方式で、実効的な防犯機能を持たせるだけでなく、地震や津波の報知用の緊急放送の中継地としても活用できる、新規且つ有用なＡＥＤ屋外設置システムを提供することを、その目的とする。
【課題を解決するための手段】
【０００６】
上記課題を解決するために、請求項１の発明は、ＡＥＤ収納ボックスと、前記ＡＥＤ収納ボックス側に備えさせた電動式の防犯機能部と、前記ＡＥＤ収納ボックス側に備えさせた緊急放送受信手段と、前記緊急放送受信手段で受信した緊急放送を放送する放送手段と、太陽光発電パネルと、前記太陽光発電パネルで発電された電力を蓄電し、前記防犯機能部と前記緊急放送受信手段と前記放送手段とに給電するバッテリーとを有し、前記ＡＥＤ収納ボックスを、屋外の任意の場所に防犯機能を生かしながら設置でき、緊急放送の中継地点としても利用できることを特徴とするＡＥＤ屋外設置システムである。
【０００７】
請求項２の発明は、請求項１に記載したＡＥＤ屋外設置システムにおいて、ＡＥＤ収納ボックス内には、バッテリー状態を確認できるバッテリー確認用ランプが設けられ、前記ＡＥＤ収納ボックスの扉開により前記ランプを視認できるようになっており、防犯機能部は、人感センサー付きカメラを有し、カメラ機能の作動を前記ＡＥＤ収納ボックスの扉開の検出に基づいて行うことを特徴とするＡＥＤ屋外設置システムである。
【０００８】
請求項３の発明は、請求項１または２に記載したＡＥＤ屋外設置システムにおいて、ＡＥＤ収納ボックスに、緊急放送受信手段の作動状態を確認できる受信用確認ランプを設けたことを特徴とするＡＥＤ屋外設置システムである。
【０００９】
請求項４の発明は、請求項１から３のいずれかに記載したＡＥＤ屋外設置システムにおいて、地上に設置するポールに、ＡＥＤ収納ボックスと、放送手段としての拡声器と、太陽光発電パネルとを取り付けてオールインワンとしたことを特徴とするＡＥＤ屋外設置システムである。
【００１０】
請求項５の発明は、請求項４に記載したＡＥＤ屋外設置システムにおいて、
ポール及びＡＥＤ収納ボックスをステンレス製で構成し、耐久性を備えたことを特徴とするＡＥＤ屋外設置システムである。
【発明の効果】
【００１１】
本発明のＡＥＤ屋外設置システムによれば、独立電源方式で、実効的な防犯機能を持たせるだけでなく、地震や津波の報知用の緊急放送の中継地としても活用できる。
【図面の簡単な説明】
【００１２】
【図１】本発明の第１の実施の形態に係るＡＥＤ屋外設置システムの設置状態を示す正面図及び側面図である。
【図２】図１に含まれるＡＥＤ収納ボックスの拡大斜視図である。
【図３】図２のＡＥＤ収納ボックスの扉を開けた状態の拡大斜視図である。
【図４】図１のＡＥＤ屋外設置システムのバッテリー機能に係る電気的構成図である。
【図５】図１のＡＥＤ屋外設置システムによる防犯機能に係る電気的構成図である。
【図６】図１のＡＥＤ屋外設置システムによる緊急放送機能に係る電気的構成図である。
【発明を実施するための形態】
【００１３】
本発明の第１の実施の形態に係るＡＥＤ屋外設置システム１について、図面にしたがって説明する。
このＡＥＤ屋外設置システム１は、図１に示すように、地面Ｇに立設されたポール３に、ＡＥＤ収納ボックス５が取り付けられている。
図２に示すように、このＡＥＤ収納ボックス５は、断面円形の開口した本体７を備えており、その円形底側がポール３に取り付けられて、開口が正面を向いている。この正面の開口は扉９で開閉される。この扉９は一側端側が本体７にヒンジ結合され、結合側とは反対の他側端側では、扉９にドアハンドル１１が埋め込まれており、このドアハンドル１１を握って手前に引けば、連係したロック機構１３（図３）が解除され、扉９が開くようになっている。
【００１４】
扉９には、大きく、「ＡＥＤ」、「自動体外式除細動器」と被収納物が表示されていると共に、「防犯機能内蔵」と防犯機能付きである旨の警告も表示されている。
扉９の上部には、円形の覗き窓１５が設けられている。この覗き窓１５は透明なプラスチック材で構成されており、扉９を開かずとも、この覗き窓１５を介して外から本体７の内部を視認できるようになっている。
また、「ＡＥＤ」の表示を囲んで四隅に、受信確認用ＬＥＤランプ１７がそれぞれ配設されている。
【００１５】
本体７の天板側には、ガード付きのパトライト（登録商標）１９が取り付けられている。
上記した本体７と、扉９は共にステンレス製であり、耐久性を備えている。
このように、ＡＥＤ収納ボックス５は正面視円形のインパクトのある外観を呈し、屋外設置に伴う耐久性の要求にも答えている。
【００１６】
図３に示すように、扉９の裏面には、ドアハンドル１１側と連係動作するロック機構１３が設けられると共に、正面側の４箇所に配設された受信確認用ＬＥＤランプ１７の裏面側に対応してカバー部２１が取り付けられており、そこからコード２３が引き出されている。
一方、本体７の内部のうち下側は垂直に折り曲げられた仕切り壁２５で閉じられており、この仕切り壁２５の平らで水平な上面がＡＥＤの載置面２６となっている。そして、この仕切り壁の正面側には、内蔵バッテリーの状態を示すバッテリー確認用ＬＥＤランプ２７が配設されている。バッテリー確認用ＬＥＤランプ２７は３つ設けられており、バッテリーの残量表示、充電中表示、給電中表示にそれぞれ利用されている。
【００１７】
符号２９はランプ付きのセンサーカメラを示し、赤外線ランプ、赤外線方式の人感センサー、赤外線カメラが一体となっている。この人感センサーの配置は、上記した覗き窓１５との関係で位置が考慮されており、人が覗き窓に近づく事で、検知可能になっている。
本体７の奥側は二重壁になっており、その壁間に基盤部が取り付けられており、上記したコード２３も繋げられている。
【００１８】
ポール３には上記した構成のＡＥＤ収納ボックス５が取り付けられているが、さらに、図１に示すように、ポール３の頂部側には太陽光発電パネル３１が取り付けられ、太陽光発電パネル３１とＡＥＤ収納ボックス５との間では、ポール３に拡声器３３が取り付けられている。
【００１９】
上記した外側が確認できるランプ等も含めて、主要な機能が電動式になっており、次に、基盤部を中心とする電気的構成について、機能毎に分けて説明する。
制御部３７は、ＰＩＣと、このＰＩＣに内蔵された読み書き自在のＲＡＭを備えており、全ての機能の動作を司っている。
【００２０】
バッテリー機能は、図４に示すように備えられており、電力を蓄積するバッテリー３９が搭載されている。このバッテリー３９には、上記した太陽光発電パネル３１により昼間太陽光により発電された電気が配線（図示省略）を通して蓄電されるようになっている。ＡＥＤ屋外設置システム１では、制御部３７がバッテリー制御部４１によりバッテリー３９の給電・充電動作を制御して、蓄電すると共に、各部（回路）に給電する。  
また、バッテリー３９の端子電圧の変動を監視する回路式のバッテリー監視部４３が設けられており、制御部３７にはこのバッテリー監視部４３からの出力電圧により、バッテリー状態（放電中、給電中）が報知される。制御部３７は、これに答えて、残量を演算し、その結果と併せて、点灯回路４５の動作によりバッテリー確認用ＬＥＤランプ２７を点灯させる。
この点灯により、外から覗き窓１５を通してバッテリー状態を視認できる。
【００２１】
防犯機能部は、図５に示すように電動式で備えられており、人が接近すると、センサーカメラ２９よりの出力信号を接近検出部４７で検出し、制御部３７が、これに答えて、カメラコントローラ４９の動作により夜間は赤外線ランプを点灯させ、ビデオカメラによる撮影を開始させる。
また、ＡＥＤ収納ボックス５が叩かれたり、こじ開けられたりすると、傾斜センサー５３よりの出力信号を異常検出部５５で検出し、制御部３７は、これに答えて、警報部５７によりパトライト（登録商標）１９を作動させると共に、スピーカ５９から警報音を出力させる。
なお、異常検出部５５とは別に扉開検出部５６を備えており、ＡＥＤを正当に使用しようと、扉９を開けた場合には、扉開を検出して、通常開報知部５８の動作によりスピーカ５９から通常開閉報知音が鳴るようになっており、周囲の人にも緊急事態であること知らせることになり、結果的に援助を求め易くなり、有用と考える。
【００２２】
緊急放送部は、図６に示すように備えられており、アンテナ６１を介して受信部６３で放送信号（ＦＭ放送電波）を受信すると、そこに含まれる音情報を音声に切換えて、アンプで増幅した上で拡声器３３から出力させる。但し、制御部３７では、放送信号に含まれる制御信号を判別し、緊急放送信号で無い場合には、ミュートにする。
本発明での緊急放送受信手段は、アンテナ６１、受信部６３、制御部３７で構成されており、放送手段は拡声器３３で構成されている。
また、本発明のＡＥＤ屋外設置システム１に電源が入って起動すると、点滅回路６５の動作により受信確認用ＬＥＤランプ１７を早く点滅させる。従って、この早い点滅で、起動を確認できる。受信部６３からの放送信号の受信を受けると、受信中であるとして、点滅回路６５の切替え動作により受信確認用ＬＥＤランプ１７をゆっくりと点滅させる。従って、このゆっくりな点滅で、受信中を確認できる。
【００２３】
上記したように、このＡＥＤ屋外設置システム１によれば、独立電源なので、電源確保の点から、設置場所を限定されることはない。
また、緊急放送の中継地としても活用されるので、設置場所の選択の幅が増える。
さらに、パトライト（登録商標）や警報音だけでなく、ビデオカメラで録画もするので、防犯機能がより高められている。
加えて、オールインワンタイプとなっているので、設置作業も楽である。
【００２４】
以上、本発明の実施の形態を説明したが、本発明の具体的構成は上記の実施の形態に限定されるものではなく、本発明の要旨から外れない範囲での設計変更があっても本発明に含まれる。
【産業上の利用可能性】
【００２５】
ＡＥＤの収納ボックスと緊急放送の中継地の両方の設置に利用できる。
【符号の説明】
【００２６】
１‥‥ＡＥＤ屋外設置システム
３‥‥ポール                      ５‥‥ＡＥＤ収納ボックス
７‥‥本体                        ９‥‥扉
１１‥‥ドアハンドル            １３‥‥ロック機構
１５‥‥覗き窓                  １７‥‥受信確認用ＬＥＤランプ
１９‥‥パトライト（登録商標）  ２１‥‥カバー部
２３‥‥コード                  ２５‥‥仕切り壁
２６‥‥（仕切り壁の）載置面
２７‥‥バッテリー確認用ＬＥＤランプ
２９‥‥ランプ付きのセンサーカメラ
３１‥‥太陽光発電パネル        ３３‥‥拡声器
３７‥‥制御部                  ３９‥‥バッテリー
４１‥‥バッテリー制御部        ４３‥‥バッテリー監視部
４５‥‥点灯回路                ４７‥‥接近検出部
４９‥‥カメラコントローラ
５３‥‥傾斜センサー            ５５‥‥異常検出部
５６‥‥扉開検出部              ５７‥‥警報部
５８‥‥通常開報知部            ５９‥‥スピーカ
６１‥‥アンテナ                ６３‥‥受信部
６５‥‥点滅回路
Ｇ‥‥地面
【図１】
2014130402.tif 000003
【図２】
2014130402.tif 000004
【図３】
2014130402.tif 000005
【図４】
2014130402.tif 000006
【図５】
2014130402.tif 000007
【図６】
2014130402.tif 000008